(57)【要約】【課題】  携帯端末の充電サービスを利用するユーザーのユーザー特性に応じた充電サービスを与えることができる充電条件決定システムを提供すること。【解決手段】  この充電条件決定システム１０は、携帯端末の端末識別情報と、充電装置の装置識別情報と、充電条件情報とを関連付けて格納する情報格納部２００と、充電装置４０〜４３を識別するための第１装置識別情報と、携帯端末３０，３１を識別するための第１端末識別情報とを関連付けて受信する情報受信部１０１と、当該受信された第１装置識別情報及び第１端末識別情報と、情報格納部２００に格納されている装置識別情報及び端末識別情報とに基づいて、充電条件情報を選択する条件選択部１０２と、当該選択された充電条件情報を第１充電装置に送信する情報送信部１０３と、を備える。【選択図】  図１
2008090674.tif 000002
【特許請求の範囲】
【請求項１】
携帯端末を識別するための端末識別情報と、前記携帯端末に充電可能な充電装置を識別するための装置識別情報と、前記充電装置において前記携帯端末を充電させる条件を示すための充電条件情報とを関連付けて格納する情報格納手段と、
第１充電装置を識別するための第１装置識別情報と、第１携帯端末を識別するための第１端末識別情報とを関連付けて受信する情報受信手段と、
当該受信された第１装置識別情報及び第１端末識別情報と、前記情報格納手段に格納されている前記装置識別情報及び前記端末識別情報とに基づいて、前記第１充電装置において前記第１携帯端末が充電を行うための条件を特定する充電条件情報を選択する条件選択手段と、
当該選択された充電条件情報を前記第１充電装置に送信する情報送信手段と、を備える充電条件決定システム。
【請求項２】
前記携帯端末に充電を許可するに先立って満たすべき予備条件を特定する予備条件情報を前記充電装置に送信する予備条件送信手段と、
当該送信に応じて前記充電装置から送信される、前記携帯端末が前記予備条件を満たした旨を示す完了情報を受信する完了情報受信手段と、を備える請求項１に記載の充電条件決定システム。
【請求項３】
前記充電装置において前記携帯端末を充電した履歴を示す履歴情報を格納する充電履歴格納手段と、
前記充電履歴格納手段に格納された履歴情報が予め設定された条件を満たした場合に、前記携帯端末の充電を制限する利用制限情報を前記充電装置に送信する制限情報送信手段と、を備える請求項１に記載の充電条件決定システム。
【発明の詳細な説明】
【技術分野】
【０００１】
本発明は、携帯端末を充電するための充電条件決定システムに関する。
【背景技術】
【０００２】
従来、外出先で携帯端末に充電するためのシステムとして、例えば、企業等の広告情報等を携帯端末に提供し、その見返りとして充電に対する課金を無料又は割引にて行うシステムが提案されている（例えば、下記特許文献１参照）。
【特許文献１】特開２００３−１８２５５号公報
【発明の開示】
【発明が解決しようとする課題】
【０００３】
しかしながら、上記従来技術においては、充電サービスを受けるユーザーの各種情報は何ら考慮されていない。ある特定の場所に設置された充電装置を利用するユーザーが受けられる広告情報は、広告情報提供者が一方的に定めた不特定多数の人に向けた情報のみであり、必ずしもユーザーと広告情報の内容とには関連性はない。
【０００４】
そこで本発明では、携帯端末の充電サービスを利用するユーザーそれぞれの特性に応じた充電サービスを提供することができる充電条件決定システムを提供することを目的とする。
【課題を解決するための手段】
【０００５】
本発明の充電条件決定システムは、携帯端末を識別するための端末識別情報と、携帯端末に充電可能な充電装置を識別するための装置識別情報と、充電装置において携帯端末を充電させる条件を示すための充電条件情報とを関連付けて格納する情報格納手段と、第１充電装置を識別するための第１装置識別情報と、第１携帯端末を識別するための第１端末識別情報とを関連付けて受信する情報受信手段と、当該受信された第１装置識別情報及び第１端末識別情報と、情報格納手段に格納されている装置識別情報及び端末識別情報とに基づいて、第１充電装置において第１携帯端末が充電を行うための条件を特定する充電条件情報を選択する条件選択手段と、当該選択された充電条件情報を第１充電装置に送信する情報送信手段と、を備える。
【０００６】
本発明によれば、端末識別情報、装置識別情報及び充電条件情報を関連付けて格納する情報格納手段から、情報受信手段が受信した第１端末識別情報及び第１装置識別情報の双方に関連する充電条件情報を選択し、送信しているので、携帯端末及び充電装置に応じた充電条件を充電装置に伝えることができる。従って、携帯端末のユーザーの特性に応じた充電サービスを提供することができる。
【０００７】
また、本発明の充電条件決定システムでは、携帯端末に充電を許可するに先立って満たすべき予備条件を特定する予備条件情報を充電装置に送信する予備条件送信手段と、当該送信に応じて充電装置から送信される、携帯端末が予備条件を満たした旨を示す完了情報を受信する完了情報受信手段と、を備えることも好ましい。予備条件情報を充電装置に送信し、その送信に応じて送信される完了情報を受信するので、予備条件を満たしたことを確実に確認することができる。
【０００８】
また、本発明の充電条件決定システムでは、充電装置において携帯端末を充電した履歴を示す履歴情報を格納する充電履歴格納手段と、充電履歴格納手段に格納された履歴情報が予め設定された条件を満たした場合に、携帯端末の充電を制限する利用制限情報を充電装置に送信する制限情報送信手段と、を備える。特定の携帯端末における充電回数を把握できるので、その充電回数に応じた制限をかけることも可能となる。
【発明の効果】
【０００９】
本発明によれば、携帯端末の充電サービスを利用するユーザーそれぞれの特性に応じた充電サービスを提供することができる。
【発明を実施するための最良の形態】
【００１０】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１１】
本発明の実施形態である充電条件決定システムについて図１を参照しながら説明する。
図１は、充電条件決定システム１０の構成を示す図である。図１に示すように、本実施形態では、ネットワークＮＷに接続可能な充電装置４０，４１，４２，４３で携帯端末３０，３１を充電するための条件を決定することを例にとって説明する。充電条件システム１０は、充電装置４０〜４３から送信される情報に基づいて、後述する情報処理を行って携帯端末３０，３１に対する充電条件を決定し、その充電条件を含む充電条件情報を充電装置４０〜４３に送信する。
【００１２】
充電条件決定システム１０の機能的な構成要素を説明するのに先立って、充電条件決定システム１０のハードウェア構成を図９を参照しながら説明する。図９は、充電条件決定システム１０のハードウェア構成図である。
【００１３】
図９に示すように、充電条件決定システム１０は、ＣＰＵ（Ｃｅｎｔｒａｌ  Ｐｒｏｃｅｓｓｉｎｇ  Ｕｎｉｔ）１０ａ、主記憶装置であるＲＡＭ（Ｒａｎｄｏｍ  Ａｃｃｅｓｓ  Ｍｅｍｏｒｙ）１０ｂ及びＲＯＭ（Ｒｅａｄ  Ｏｎｌｙ  Ｍｅｍｏｒｙ）１０ｃ、ハードディスク等の補助記憶装置１０ｅ、並びにネットワークカード等のデータ送受信デバイスである通信モジュール１０ｄ等のハードウェアを備えるコンピュータ（またはコンピュータシステム）として構成される。これらの構成要素が動作することにより、充電条件決定システム１０の後述する機能が発揮される。
【００１４】
図１を再び参照しながら、充電条件決定システム１０の機能的な構成要素について説明する。充電条件決定システム１０は、機能的な構成要素として、情報受信部１０１（情報受信手段）と、条件選択部１０２（条件選択手段）と、情報送信部１０３（情報送信手段）と、予備条件送信部１０４（予備条件送信手段）と、完了情報受信部１０５（完了情報受信手段）と、制限情報送信部１０６（制限情報送信手段）と、情報格納部２００（情報格納手段）と、予備条件情報格納部２０１と、充電履歴格納部２０２（充電履歴格納手段）と、を備えている。引き続いて、各構成要素について説明する。
【００１５】
以下の説明において、充電装置４０，４１，４２，４３を識別するための装置識別情報は、充電装置４０が「０００１」、充電装置４１が「０００２」、充電装置４２が「０００３」、充電装置４３が「０００４」である。また、携帯端末３０，３１を識別するための端末識別情報としては、携帯端末３０が「０９０−ＸＸＸＸ−ＹＹＹＹ」、携帯端末３１が「０９０−ＹＹＹＹ−ＺＺＺＺ」といった電話番号を用いている。
【００１６】
情報受信部１０１は、ネットワークＮＷから充電装置４０，４１，４２，４３を識別するための装置識別情報（第１装置識別情報）と、携帯端末３０、３１を識別するための端末識別情報（第１端末識別情報）とを関連付けて受信する部分である。より具体的には、携帯端末３０を持ったユーザーが充電装置４０で充電しようとする場合には、携帯端末３０の端末識別情報としての電話番号「０９０−ＸＸＸＸ−ＹＹＹＹ」が充電装置４０に送信され、充電装置４０から充電装置４０の装置識別情報「０００１」と関連付けられて送信される。この場合、情報受信部１０１は「０００１」と「０９０−ＸＸＸＸ−ＹＹＹＹ」とを関連付けて受信する。情報受信部１０１は、関連付けて取得した装置識別情報と端末識別情報とを条件選択部１０２へ出力する。
【００１７】
条件選択部１０２は、情報受信部１０１で取得した装置識別情報及び端末識別情報と、情報格納部２００に格納されている装置識別情報及び端末識別情報とに基づいて、充電装置において携帯端末が充電を行うための条件を特定する充電条件情報を選択する部分である。そして、条件選択部１０２は、選択した充電条件情報を情報送信部１０３へ出力する。
【００１８】
ここで、情報格納部２００は、携帯端末を識別するための端末識別情報と、携帯端末に充電可能な充電装置を識別するための装置識別情報と、充電装置において携帯端末を充電させる条件を示すための充電条件情報とを関連付けて格納している部分である。
【００１９】
図２に情報格納部２００に格納されている情報の例を示す。図２の（ａ）は、提供者情報と充電装置情報とに基づいた充電条件情報の例を示す。図２の（ｂ）は、提供者に応じたお得意様情報の例を示す。図２の（ａ）に示す例によれば、情報格納部２００には提供者情報と、充電装置情報と、充電条件情報とが関連付けられて格納されている。提供者情報は充電サービスを提供する業者を示す情報であり、例えば「業者Ａ」、「業者Ｂ」、「業者Ｃ」といった業者名が格納されている。
【００２０】
充電装置情報は、これら業者が保有する充電装置を特定するための情報であり、例えば「０００１」「０００２」「０００３」「０００４」が格納されている。充電条件情報は、充電装置において携帯端末に充電させるための条件を特定するための情報であり、例えば「コンテンツ条件」「料金条件」「時間条件」が格納されている。
【００２１】
「コンテンツ条件」は、業者が提供する広告情報等を特定するための情報であり、例えば「コンテンツＡ受信」「コンテンツＢ受信」といった条件が格納されている。「料金条件」は、ユーザーが充電サービスを受ける際の料金を示す情報であり、例えば「有料」「無料」「お得意様無料」といった条件が格納されている。「時間条件」は、料金条件に示される内容で受けられる充電時間を示す情報であり、「５分間」「１０分間」といった条件が格納されている。なお、これらの格納情報は更新可能となっている。
【００２２】
また、図２の（ｂ）に示す例によれば、「提供者情報」に関連付けて「お得意様情報」が格納されている。「提供者情報」は、図２の（ａ）の提供者情報と同様に、充電サービスを提供する業者を示す情報であり、例えば「業者Ａ」「業者Ｂ」「業者Ｃ」が業者名として格納される。「お得意様情報」は、各業者のお得意様を示す情報であり、例えば、「業者Ａ」のお得意様として「０９０−ＸＸＸＸ−ＹＹＹＹ」が、「業者Ｃのお得意様として「０９０−ＹＹＹＹ−ＺＺＺＺ」が格納されている。また、お得意様情報は、例えば、業者Ａが飲食店である場合、その来店回数をカウントして特定の回数以上来店したことのあるお客様をお得意様として認定する。お得意様情報は、新たなお得意様が認定された場合に更新される。
【００２３】
続いて、図２の（ａ）及び（ｂ）に示す情報の関連性について説明する。提供者が「業者Ａ」で充電装置が「０００１」の場合には充電条件情報は「コンテンツＡ受信」、「無料」、「５分間」となり、ユーザーが業者Ａの充電装置０００１を使用して充電する場合には、コンテンツＡを受信すれば、５分間の無料充電が可能であることを示している。同様に提供者が「業者Ａ」で充電装置が「０００２」の場合には充電条件情報は「コンテンツＢ受信」、「無料」、「５分間」となり、ユーザーが業者Ａの充電装置０００２を使用して充電する場合には、コンテンツＢを受信すれば、５分間の無料充電が可能であることを示している。
【００２４】
また、提供者情報が業者Ｂで充電装置が０００３の場合には充電条件情報は「有料」「１０分間」となり、ユーザーが業者Ｂの充電装置０００３を使用して充電する場合には、有料で１０分間の充電が可能であることを示している。また、業者Ｃで充電装置０００４の場合には充電条件情報は「お得意様無料」「５分間」となり、ユーザーが業者Ｃの充電装置０００４を使用して充電する場合には、ユーザーが業者Ｃのお得意様であれば５分間の無料充電が可能であることを示している。ここで、図２の（ｂ）に示すとおり、業者Ｃのお得意様は「０９０−ＹＹＹＹ−ＺＺＺＺ」の携帯番号のユーザーであり、このユーザーは充電装置０００４で充電サービスを受ける場合は無料となる。
【００２５】
条件選択部１０２における、より具体的な充電条件の選択について説明する。情報受信部１０１で取得した装置識別情報及び端末識別情報が、それぞれ、「０００１」「０９０−ＸＸＸＸ−ＹＹＹＹ」である場合、条件選択部１０２は、情報格納部２００に格納された情報に基づいて、充電条件として、「コンテンツＡ受信」「無料」「５分間」を選択し情報送信部１０３に出力する。
【００２６】
また、情報受信部１０１で取得した装置識別情報及び端末識別情報が、それぞれ、「０００２」「０９０−ＸＸＸＸ−ＹＹＹＹ」である場合、条件選択部１０２は、情報格納部２００に格納された情報に基づいて、充電条件として、「コンテンツＢ受信」「無料」「５分間」を選択し情報送信部１０３に出力する。また、情報受信部１０１で取得した装置識別情報及び端末識別情報が、それぞれ、「０００３」「０９０−ＸＸＸＸ−ＹＹＹＹ」である場合、条件選択部１０２は、情報格納部２００に格納された情報に基づいて、充電条件として、「有料」「１０分間」を選択し情報送信部１０３に出力する。また、情報受信部１０１で取得した装置識別情報及び端末識別情報が、それぞれ、「０００４」「０９０−ＹＹＹＹ−ＺＺＺＺ」である場合、条件選択部１０２は、情報格納部２００に格納された情報に基づいて、０９０−ＹＹＹＹ−ＺＺＺＺの携帯端末のユーザーは業者Ｃのお得意様と認定し、充電条件として、「お得意様無料」「５分間」を選択し情報送信部１０３に出力する。
【００２７】
情報送信部１０３は、条件選択部１０２で選択した充電条件情報を充電装置に送信する部分である。より具体的には、時間条件として充電時間を示す「５分間」「１０分間」等の情報を充電装置に送信する。また、条件選択部１０２で選択した充電条件情報に携帯端末に充電を許可するに先立って満たすべき予備条件が含まれている場合には、この予備条件情報を予備条件送信部１０４に出力する。より具体的には、予備条件として「コンテンツＡ受信」を含んでいる場合、情報送信部１０３は充電装置に充電条件情報を送信するに先立って予備条件送信部１０４に予備条件情報として「コンテンツＡ受信」を送信する。また、予備条件として充電の「有料」を含んでいる場合、情報送信部１０３は充電装置に充電条件情報を送信するに先立って予備条件送信部１０４に予備条件情報として「有料」の充電許可情報を送信する。
【００２８】
予備条件送信部１０４は、予備条件情報格納部２０１から予備条件情報を取得して、この予備条件情報を充電装置に送信する部分である。
【００２９】
ここで、図３に予備条件情報格納部２０１に格納されている予備条件の情報の例を示す。図３によれば、「コンテンツ番号」と「コンテンツ」とが関連付けられて格納されている。「コンテンツ番号」は各コンテンツを識別するための情報である。「コンテンツ」はコンテンツの実際のデータである。図３に示すように、「コンテンツＡ」には動画ファイルの「Ａ．ｍｏｖ」が、「コンテンツＢ」には音声ファイルのＢ．ｗａｖが、「コンテンツＣ」には音声ファイルの「Ｃ．ｗａｖ」が、それぞれ関連付けられて格納されている。
【００３０】
予備条件として「コンテンツＡ受信」が含まれている場合、予備条件送信部１０４は、予備条件情報格納部２０１からコンテンツＡに対応する動画ファイルのＡ．ｍｏｖを選択し、このＡ．ｍｏｖを充電装置に送信する。また、予備条件として「コンテンツＢ受信」が含まれている場合、予備条件送信部１０４は、予備条件情報格納部２０１からコンテンツＢに対応する音声ファイルのＢ．ｗａｖを選択し、充電装置に送信する。また、予備条件として「有料」の充電が含まれている場合、予備条件送信部１０４は、「有料」の充電可能情報を充電装置に送信する。
【００３１】
完了情報受信部１０５は、予備条件送信部１０４による予備条件の送信に応じて充電装置から送信される、携帯端末が予備条件を満たした旨の完了情報を受信する部分である。完了情報受信部１０５は、完了情報を受信した旨を情報送信部１０３に出力する。より具体的には、予備条件として、例えば「コンテンツＡ受信」の場合は、充電装置から携帯端末がこのコンテンツＡを閲覧した旨を示す「閲覧情報」を完了情報として受信する。そして、この完了情報を情報送信部１０３に出力する。予備条件が「コンテンツＢ受信」の場合は、充電装置から携帯端末がこのコンテンツＢを聴取した旨を示す「聴取情報」が完了情報として受信される。また、「有料」の場合は、充電装置から充電するため金額について決済がなされたことを示す「決済情報」を完了情報として受信する。そして、この完了情報を情報送信部１０３に出力する。情報送信部１０３は、完了情報受信部１０５より完了情報を受信したことに応じて、充電条件情報を充電装置に送信する。その結果、充電装置において、携帯端末の充電がなされる。
【００３２】
また、コンテンツに代えて、アプリケーションプログラムを送信することも好ましい。例えば、アプリケーションプログラムを充電装置を介して携帯端末に送信し、そのアプリケーションプログラムを用いてコンテンツを表示させ、コンテンツの表示が完了すれば完了通知を充電装置を介して充電条件決定システム１０に送信させることも可能となる。また、代金決裁用のアプリケーションプログラムを充電装置を介して携帯端末に送信し、そのアプリケーションプログラムを用いて代金決裁し、決裁が完了すれば完了通知を充電装置を介して充電条件決定システム１０に送信させることも可能となる。
【００３３】
充電履歴格納部２０２は、充電装置において携帯端末を充電した履歴を情報送信部１０３から取得し格納する部分である。図４に、充電履歴格納部２０２に格納されている情報の例を示す。図４に示す例によれば、「ユーザー情報」と「充電履歴情報」とが格納されている。「ユーザー情報」は、充電サービスの提供を受けた携帯端末の端末識別情報である。また、「充電履歴情報」は、携帯端末が充電サービスを利用した充電装置を特定する「充電装置情報」と、携帯端末が充電した時刻を特定する「時刻情報」とが関連付けられた情報である。「充電装置情報」は、充電サービスの提供を行った充電装置の装置識別情報である。また、「時刻情報」は、充電開始時刻と充電終了時刻とを含んでいる。後述するように、この充電条件決定システム１０を利用してユーザーが充電を行うと、図４の（ａ）に示すように履歴が蓄積される。また、所定時間の経過や、日単位・週単位といった所定条件を満たすことを条件として、図４の（ｂ）に示すように履歴をリセットする。
【００３４】
制限情報送信部１０６は、充電履歴格納部２０２に格納された履歴が予め設定された条件を満たした場合に、携帯端末の充電を制限する情報を充電装置に送信する部分である。より具体的には、携帯端末３０（端末識別情報は０９０−ＸＸＸＸ−ＹＹＹＹ）が充電装置４０（装置識別情報は０００１）で時刻２３：００〜２３：０５に充電されたとすると、充電履歴格納部２０２に蓄積される履歴は、図４の（ａ）に示すように、ユーザー情報として０９０−ＸＸＸＸ−ＹＹＹＹ、充電装置情報として０００１、時刻情報として２３：００〜２３：０５となる。図２に示すとおり、業者Ａは５分間の充電を許可しているので、予め設定した条件を満たすことになる。よって、制限情報送信部１０６では、再度同一条件での充電要求があった場合にそれを拒否する情報を充電装置に送信する。
【００３５】
また、携帯端末３１（端末識別情報は０９０−ＹＹＹＹ−ＺＺＺＺ）が充電装置４０（装置識別情報は０００３）で時刻２１：２５〜２１：３０に充電されたとすると、充電履歴格納部２０２に蓄積される履歴は、図４の（ａ）に示すように、ユーザー情報として０９０−ＹＹＹＹ−ＺＺＺＺ、充電装置情報は０００３、時刻情報として２１：２５〜２１：３０となる。図２に示すとおり、業者Ｂは１０分間の充電を許可しているので、まだ５分間の充電が可能であり、予め設定した条件を満たしていないことになる。この場合は情報格納部２００の業者Ｂの時間条件を残りの「５分間」に更新する。
【００３６】
本実施形態における充電条件決定システム１０の動作を説明する。まず、充電装置から端末識別情報と装置識別情報とを受信した場合の動作について説明する。尚、携帯端末としては携帯端末３０を、充電装置としては充電装置４０をそれぞれ利用するものとして説明する。図５は、このような場合の処理を示すシーケンス図である。
【００３７】
携帯端末３０が充電装置４０に設置されると、充電装置４０は携帯端末３０から端末識別情報を受信する（ステップＳ１０１）。充電装置４０は、受信した端末識別情報と、自身の装置識別情報とを関連付けて充電条件決定システム１０に送信する（ステップＳ１０２）。充電条件決定システム１０は、端末識別情報と装置識別情報とを関連付けて受信する。
【００３８】
充電条件決定システム１０は、充電装置４０から端末識別情報及び装置識別情報を受信すると、充電条件を選択する（ステップＳ１０３）。充電条件決定システム１０は、選択した充電条件に応じた充電条件情報を充電装置４０に送信する（ステップＳ１０４）。そして充電装置４０は、充電条件情報に基づいて、携帯端末３０の充電を開始する処理を行う（ステップＳ１０５）。充電装置４０は、充電条件情報に基づいた所定時間経過後に充電を停止する処理を行う（ステップＳ１０６）。
【００３９】
続いて、上記ステップＳ１０３における充電条件選択について詳細に説明する。図６は、充電条件決定システム１０における充電条件選択を詳細に説明するためのフローチャートである。
【００４０】
充電条件決定システム１０の情報受信部１０１は充電装置から端末識別情報と共に装置識別情報を受信すると、条件選択部１０２に出力する。条件選択部１０２は、情報受信部１０１から出力された端末識別情報及び装置識別情報と情報格納部２００の充電条件テーブル（図２参照）とを照合する（ステップＳ１０３ａ）。
【００４１】
条件選択部１０２は、充電条件に予備条件情報が含まれているか判断する（ステップＳ１０３ｃ）。ステップＳ１０３ｃにおける判断の結果、予備条件情報が含まれていない場合は、条件選択部１０２は、充電条件情報を情報送信部１０３に出力する（ステップＳ１０３ｄ）。一方、ステップＳ１０３ｃにおける判断の結果、予備条件情報が含まれている場合は、条件選択部１０２は、予備条件情報を予備条件送信部１０４に出力する（ステップＳ１０３ｅ）。
【００４２】
続いて、充電条件に予備条件が含まれている場合の動作について説明する。図７はこのような場合の処理を示すシーケンス図である。
【００４３】
携帯端末３０が充電装置４０に設置されると、充電装置４０は携帯端末３０から端末識別情報を受信する（ステップＳ２０１）。充電装置４０は、受信した端末識別情報と、自身の装置識別情報とを関連付けて充電条件決定システム１０に送信する（ステップＳ２０２）。充電条件決定システム１０は、端末識別情報と装置識別情報とを関連付けて受信する。
【００４４】
充電条件決定システム１０は、充電装置４０から端末識別情報及び装置識別情報を受信すると、充電条件を選択する（ステップＳ２０３）。充電条件情報に予備条件が含まれている場合は、充電条件決定システム１０は、予備条件情報を充電装置４０に送信する（ステップＳ２０４）。充電装置４０では、その予備条件情報に基づいた予備条件処理が行われる（ステップＳ２０５）。例えば、コンテンツを携帯端末３０において視聴させることが予備条件であれば、充電装置４０はコンテンツを携帯端末３０に送信する。また、事前に代金決裁を行うことが予備条件であれば、充電装置４０は携帯端末３０に対して決裁指示情報を送信する。
【００４５】
予備条件処理が完了すると、充電装置４０は予備処理が完了した旨の完了情報を充電条件決定システム１０に送信する（ステップＳ２０６）。充電条件決定システム１０は、選択した充電条件に応じた充電条件情報を充電装置４０に送信する（ステップＳ２０７）。そして充電装置４０は、充電条件情報に基づいて、携帯端末３０の充電を開始する処理を行う（ステップＳ２０８）。充電装置４０は、充電条件情報に基づいた所定時間経過後に充電を停止する処理を行う（ステップＳ２０９）。
【００４６】
続いて、充電履歴を格納して充電の制限をする場合の動作について説明する。図８はこのような場合の処理を示すシーケンス図である。
【００４７】
携帯端末３０が充電装置４０に設置されると、充電装置４０は携帯端末３０から端末識別情報を受信する（ステップＳ３０１）。充電装置４０は、受信した端末識別情報と、自身の装置識別情報とを関連付けて充電条件決定システム１０に送信する（ステップＳ３０２）。充電条件決定システム１０は、端末識別情報と装置識別情報とを関連付けて受信する。
【００４８】
充電条件決定システム１０は、充電装置４０から端末識別情報及び装置識別情報を受信すると、充電条件を選択する（ステップＳ３０３）。充電条件決定システム１０は、選択した充電条件に応じた充電条件情報を充電装置４０に送信する（ステップＳ３０４）。そして充電装置４０は、充電条件情報に基づいて、携帯端末３０の充電を開始する処理を行う（ステップＳ３０５）。充電装置４０は、充電条件情報に基づいた所定時間経過後に充電を停止する処理を行う（ステップＳ３０６）。
【００４９】
充電条件決定システム１０の情報送信部１０３は、充電装置４０に送信した充電条件情報に基づいて、充電履歴情報を充電履歴格納部２０２に格納する（図４参照、ステップＳ３０７）。
【００５０】
再度、携帯端末３０が充電装置４０に設置されると、充電装置４０は携帯端末３０から端末識別情報を受信する（ステップＳ３０８）。充電装置４０は、受信した端末識別情報と、自身の装置識別情報とを関連付けて充電条件決定システム１０に送信する（ステップＳ３０９）。充電条件決定システム１０は、端末識別情報と装置識別情報とを関連付けて受信する。
【００５１】
充電条件決定システム１０は、充電装置４０から端末識別情報及び装置識別情報を受信すると、充電条件を選択する（ステップＳ３１０）。
【００５２】
充電条件決定システム１０は、選択された充電条件と履歴情報とを照合する（ステップＳ３１１）。一致する履歴情報があった場合、充電制限情報を充電装置４０に送信する（ステップＳ３１２）。充電装置４０では、充電制限情報に基づいて移動端末３０への充電を制限する（ステップＳ３１３）。
【００５３】
以上のように、本実施形態によれば、条件選択部１０２により、端末識別情報、装置識別情報及び充電条件情報を関連付けて格納する情報格納部２００から、特定の端末識別情報及び特定の装置識別情報の双方に関連する充電条件情報を選択しているので、携帯端末（ユーザー）及び充電装置に応じた充電条件を充電装置に与えることができる。従って、携帯端末の充電サービスを利用するユーザーのユーザー特性に応じた充電サービスを与えることができる。
【００５４】
また、充電条件には携帯端末に充電を許可するに先立って満たすべき予備条件を含み、その予備条件の送信部１０４と予備条件を満たした旨の完了情報を受信する完了情報受信部１０５を備えているので、充電に際して携帯端末が予備条件を満たしたことを確実に確認することができる。従って、例えば広告情報の受信を予備条件とした場合に、携帯端末側でその広告情報を閲覧したことを確認することができるので、良好な宣伝効果等が期待できる。
【００５５】
また、本実施形態は充電装置において携帯端末を充電した履歴を格納する充電履歴格納部２０２と、充電履歴格納部２０２に格納された履歴が予め設定された条件を満たした場合に、携帯端末の充電を制限する情報を充電装置に送信する制限情報送信部１０６と、を備えているので、特定の携帯端末における充電回数を制限することができる。従って、過剰な充電サービスを抑制することができる。
【図面の簡単な説明】
【００５６】
【図１】本発明の実施形態にかかる充電条件決定システムの構成を示す図である。
【図２】図１の情報格納部に格納されている情報の例を示す図である。
【図３】図１の予備条件情報格納部に格納されている情報の例を示す図である。
【図４】図１の充電履歴格納部に格納されている情報の例を示す図である。
【図５】充電装置から端末識別情報と装置識別情報とを受信した場合のシーケンス図である。
【図６】充電条件選択を説明するためのフローチャートである。
【図７】充電条件に予備条件が含まれている場合の動作について説明するシーケンス図である。
【図８】充電履歴を格納して充電の制限をする場合の動作について説明するシーケンス図である。
【図９】図１に示す充電条件決定システムのハードウェア構成図である。
【符号の説明】
【００５７】
１０…充電条件決定システム、３０，３１…携帯端末、４０，４１，４２，４３…充電装置、１０１…情報受信部、１０２…条件選択部、１０３…情報送信部、１０４…予備条件送信部、１０５…完了情報受信部、１０６…制限情報送信部、２００…情報格納部、２０１…予備条件情報格納部、２０２…充電履歴格納部。
【図１】
2008090674.tif 000003
【図２】
2008090674.tif 000004
【図３】
2008090674.tif 000005
【図４】
2008090674.tif 000006
【図５】
2008090674.tif 000007
【図６】
2008090674.tif 000008
【図７】
2008090674.tif 000009
【図８】
2008090674.tif 000010
【図９】
2008090674.tif 000011